(57)【要約】【課題】魚釣りの根掛かり防止器具で、釣り針保護カバーはカバー外に出た釣り針が水底で根掛かりの原因となり、水中で釣り針がカバー内に収納される時、カバー底から出た釣り針先が根掛かりの原因になる。大きな開口部を持つ、釣り針の覆いは遠投釣りが困難であった。又、水中浮きの機能を持ち、コマセを収容できる根掛かり防止器具はなかった。本発明は、魚釣りで根掛かりを防止しコマセを収容・放出できる水中浮きを提供する。【解決手段】流線型に近い形状で、頂点に糸通しの穴と底面にはコマセや釣り針が出入りする開口部があり、本体外壁は釣り針の針先が密着するように傾斜を設けるか、釣り針の針先をガードする羽を取り付ける事で、針先が外部に接触しない形状である。本体は発砲スチロール等を組み込む等で浮力を持たせ、本体内部にコマセ等を収容・保持しやすい空間を設け、遠投釣り可能な事を特徴とする、根掛かり防止用コマセ収容型水中浮き。【選択図】図４
2015073529.tif 000002
【特許請求の範囲】
【請求項１】
流線型に近い形状で頂点に糸通しの穴があり、底面には開口部を設け、頂点の穴と開口部が繋がる空間を本体内部に設け、本体に発砲スチロールを組み込むか、密閉した空気室を設け、本体外壁には開口部に向かい先細りの傾斜を設ける事で、本体胴回りよりも小さい開口部を持つ根掛かり防止用コマセ収容型水中浮き。
【請求項２】
発砲スチロール等の組み込み又は、密閉した空気室の内蔵を無くし、水より比重の軽い材質で形成されたことを特徴とする請求項１の根掛かり防止用コマセ収容型水中浮き。
【請求項３】
本体外壁に複数の貫通孔又は、網状の貫通孔を設けた、請求項１又は請求項２の根掛かり防止用コマセ収容型水中浮き。
【請求項４】
本体外壁に羽を付けた、請求項１又は請求項２又は請求項３の根掛かり防止用コマセ収容型水中浮き。
【発明の詳細な説明】
【技術分野】
【０００１】本発明は、魚釣りにおいて釣り針が岩礁等に根掛かりするのを防ぐ器具であり、又、集魚効果があるコマセやエサを収容・放出できる構造を併せ持つ、遠投釣りが可能な根掛かり防止用コマセ収容型水中浮きである。
【背景技術】
【０００２】根掛かり防止器具としては、錐体型で本体内部に収納した釣り針と餌を所定の魚が捕食できるよう開口部を持ち、水底に沈めて使用する釣り針の覆いが考案されていた（特許文献１参照）。
又、別の根掛かり防止器具として、釣り針の全長よりも少し長めの傘状又は錐体型に形成され内側に釣り針と餌の一部を収容できる、根掛り防止用釣り針保護カバーが考案されていた（特許文献２参照）。
【先行技術文献】
【０００３】
【特許文献１】特開２００４−１５９６０１（Ｐ２００４−１５９６０１Ａ）
【特許文献２】実願平１０−５６０６
【発明の概要】
【発明が解決しようとする課題】
【０００４】特許文献１を読むと、釣り針の覆いは大きな開口部を持つため形状が大きく、遠投釣りでは空気抵抗を受けてしまうので、遠くのポイントの魚釣りは困難である。
又、特許文献２を読むと、釣り針や餌が根掛かり防止カバーの外に出て、釣り針の針先が水底等に接している状態になる事があり、その状態でリールを巻き上げた時や竿をシャクリ上げた時、釣り針が岩礁等に根掛かりする原因となる。これは特許文献１の考案も同様である。又、外に出ている釣り針が根掛かり防止カバー内部に収納される時、針先が根掛かり防止カバーの底に引っ掛かかり、針先が根掛かり防止器具の外にはみ出てしまうのも根掛かりの原因になる。これは特許文献１の考案も同様である。又、水中浮きの機能を持ち、コマセを収容できる根掛かり防止器具はなかった。
本発明は以上の問題点を解決するものである。
【課題を解決するための手段】
【０００５】本体の形状は流線型に近く、頂点に釣り糸を通す穴と底面にはコマセや釣り針が出入りする開口部があり、本体外壁は釣り針の針先が密着するように傾斜を設けるか釣り針の針先をガードする羽を取り付ける事で、針先が外部に接触しない形状である。そして本体に発砲スチロールを組み込むか、密閉した空気室を設ける事で浮力を持たせ、本体内部にコマセ等を収容・保持しやすい空間を持ち、開口部が小さいので遠投釣りが可能な根掛かり防止用コマセ収容型水中浮き。
本体に発砲スチロールや空気室を組み込まずに、水より比重の軽いポリプロピレン等、又は硬質発泡スチロール等で本体を作成しても良い。
又、本体底面の開口部からコマセが放出しやすいように本体外壁に複数の貫通孔又は、網状の貫通孔を設けても良い。
【発明の効果】
【０００６】本発明の水中浮きは形状及び開口部が小さく出来るので仕掛けを遠くのポイントに投げたい時の遠投釣りにも向く。水中浮きは水中で釣り針を水面方向に持ち上げ、水底に釣り針が接触しないように出来る。そのためリールを巻き上げた時や竿をシャクリ上げた時、釣り針が岩礁等に引っ掛かる事がなくなる。
根掛かりの防止機能として、一度水中浮きの内部に入れた釣り針が、水中浮きの外に出て魚を待つが、釣り針がリールを巻き上げた時等で水中浮き内部に収納される時、釣り針が水中浮きの底に引っ掛かかり釣り針の針先が外にはみ出ても、針先は水中浮き外壁の傾斜面に密着するので針先が水草等に引っ掛からない構造である。
又、羽付き水中浮きの場合、羽が釣り針の針先をガードするので針先が水草等に引っ掛からない。そして、本体の内部空間にコマセを収容できるので、遠投釣りをしたい時でもコマセを撒く事が出来、集魚効果が出る。
又、本発明の水中浮きを２つ取り付け、両方にコマセ類を入れる事で集魚効果がアップする。２つの水中浮きは空中では一体となるが、水中で分離する。２つ取り付ける事で遠くのポイントに撒くコマセの量を増やせる。
【図面の簡単な説明】
【０００７】
【図１】本発明の本体斜視図
【図２】図１のＡ−Ａ断面図
【図３】本発明の使用状態の正面図
【図４】図３の本体断面図。本体外壁に釣り針の針先が密着している図
【図５】図３の本体外壁に羽を付けた図で、釣り針の針先が密着している図
【図６】図１の本体外壁に複数の貫通孔を設けた正面図
【図７】密閉した空気室等の内蔵を無くした図１を切り欠いた斜視図
【発明を実施するための形態】
【０００８】以下、本発明の実施の形態を説明する。
（イ）本体の形状は頂点に釣り糸を通す、糸通し穴（１）と底面にはコマセや釣り針が出入りする開口部（２）を設ける
（ロ）本体外壁（５）は釣り針（９）の針先が密着するように傾斜を設けるか、本体外壁（５）に羽（１１）を付ける事で針先が外部に接触しない形状である。
（ハ）本体に発砲スチロール等（３）を組み込むか、密閉した空気室（３）を設ける事で浮力を持たせ、本体内部空間（４）にコマセや釣り針等を収容する空間を持つ根掛かり防止用コマセ収容型水中浮き。
（ホ）本体に発砲スチロール（３）や空気室（３）を組み込まずに、水より比重の軽いポリプロピレン等、又は硬質発泡スチロール等で本体を作成しても良い。
（ヘ）又、本体底面の開口部（２）からコマセが放出しやすいように本体外壁（５）に複数の貫通孔（１２）又は、網状の貫通孔を設けても良い。
本発明は以上のような構造である。
本発明を使用する時は、本体頂点の糸通し穴（１）から出ている、ビーズ（８）付き釣り針（９）の釣り糸（７）を、釣竿から延びているオモリに取り付ける。ビーズ（８）付き釣り針（９）を使う事により釣り針（９）で本体の内部糸通し穴（６）を傷めない。
次に釣り針（９）にエサ（１０）を付け、開口部（２）を上にしてコマセやエサの切れ端を本体の内部空間（４）に入れる。釣り針（９）やコマセ類を入れ終わったら本体頂点の糸通し穴（１）から出ている釣り糸（７）を引っ張り、釣り針（９）を本体の内部空間（４）に入れる。遠投した時に本体は空気抵抗を受けコマセ類に釣り針（９）が食い込むので釣り針（９）に付けたエサ（１０）が蓋の役目をし、コマセ類が空中に飛び出るのを防ぐ。遠投後、本体は、オモリに引っ張られ水中に沈んで行くが、本体が水抵抗を受けコマセ類に釣り針（９）が食い込むので、釣り針（９）に付けたエサ（１０）が蓋の役目をし、コマセ類は飛び出ない。オモリが水底に到達すると本体の沈下も止まり、釣り針（９）とコマセ類が自重により本体の開口部（２）から放出され沈下して行く。結果、コマセ類は水底に到着するが、水中浮きが釣り針（９）を持ち上げているので、釣り針（９）の針先は水面方向を向き、水底に接触しないため根掛かりは防げる。
その後、リールを巻き上げた時は釣り針（９）の針先が開口部（２）から外に出ても、本体外壁（５）に密着し、釣り針（９）の針先と本体外壁（５）の隙間がなくなるので水草等に根掛かりしない。羽（１１）付きの本体の場合、羽が釣り針の針先をガードするので針先が水草等に根掛かりしない。
【符号の説明】
【０００９】１糸通し穴、２開口部、３発砲スチロール等又は密閉した空気室、４内部空間、５本体外壁  ６内部糸通し穴、７釣り糸、８ビーズ、９釣り針、１０エサ、１１羽、１２貫通口
【図１】
2015073529.tif 000003
【図２】
2015073529.tif 000004
【図３】
2015073529.tif 000005
【図４】
2015073529.tif 000006
【図５】
2015073529.tif 000007
【図６】
2015073529.tif 000008
【図７】
2015073529.tif 000009